(57)【特許請求の範囲】
【請求項１】
収納家具の引出しの下部前後に設けられた前支持部材及び後支持部材と、
該支持部材により前後部が支持され、前後水平軸まわりに回動可能とされた前後に延びる回動杆と、
該回動杆の前部に略回動半径方向に突設され、先端部において接地転動体を軸支してなる支持腕と、
前記回動杆の後部に設けられ、回動軸心から回動半径方向に離間した部分を被駆動部としてなる操作腕と、
前記後支持部材の前側又は後側において、前記引出しに直接又は間接に左右方向にスライド可能に支持され、垂下軸まわりに回動可能にガイド転動体を軸支してなり、前記操作腕の被駆動部が係合する係合部を有するスライド部材と、
前記引出しを閉じた状態で該引出しの底面から下方に離間した高さ位置において、収納家具本体の下部に略水平に設けられた、前後に延びる後部ガイドレール、該後部ガイドレールから前方及び左又は右方に離間して前後に延びる前部ガイドレール、並びに、該前後のガイドレール間を繋ぐ中間部ガイドレールからなる、前記ガイド転動体が係合するガイドレールとを備え、
前記引出しを閉じた状態では、前記ガイド転動体が前記後部ガイドレールに係合して前記支持腕が略水平に保持された収納状態となり、前記引出しを開く動作により、前記ガイド転動体が前記後部ガイドレールから前記中間部ガイドレールを経由して前記前部ガイドレールに沿って移動するため、前記スライド部材が左又は右方に移動し、該スライド部材に係合する前記被駆動部を介して前記操作腕が左又は右方に駆動されて前記回動杆が回動し、前記支持腕が垂下した状態で保持され、前記接地転動体が接地可能状態となることを特徴とする収納家具における引出しの前傾防止装置。
【請求項２】
前記操作腕が、前記回動杆の後部を略回動半径方向に折り曲げたものであり、その先端を略前後方向に折り曲げて前記被駆動部とし、該被駆動部が係合する前記スライド部材の係合部を略上下方向を長軸とした長孔としてなる請求項１記載の収納家具における引出しの前傾防止装置。
【請求項３】
前記スライド部材が、前記後支持部材に左右方向にスライド可能に支持されてなる請求項１記載の収納家具における引出しの前傾防止装置。
【請求項４】
前記ガイドレールが、上方を開放した略コ字状のチャンネル材である請求項１記載の収納家具における引出しの前傾防止装置。
【発明の詳細な説明】
【技術分野】
【０００１】
本発明は、ワゴン又は袖キャビネット等の収納家具における引出しの前傾防止装置に係わり、更に詳しくは、引出しを閉じる動作により該引出しの前下部に設けた車輪等を回動させて収納可能とした引出しの前傾防止装置に関するものである。
【背景技術】
【０００２】
ワゴン又は袖キャビネット等の収納家具において、引出しを開ける際に生じる前傾により該引出しの前板下面が床面に接触して傷つくこと、又は、前記引出しの前傾により収納家具自体が前倒れすることがある。このような引出しを開ける際に生じる前傾を防止する前傾防止装置として、引出しの前下部に車輪等を設けてなるものがある（例えば、特許文献１ないし３参照。）。また、前記車輪等が引出しの開閉動作の邪魔にならないように、あるいは、引出しを閉じた際に前記車輪等を見えなくして前傾防止装置の無い収納家具と同様の外観とするように、引出しを閉じる動作により前記車輪等を回動させて収納可能としたものがある（例えば、特許文献４又は５参照。）。
【０００３】
特許文献４に係る前傾防止装置の構成は、引出し裏板の下部に枢着された、車輪を軸支した脚片と、該脚片の基部において前記枢着軸と同軸に突設された、先端にかぎ形の係合突片を設けた回動片と、前記脚片を水平に支持する水平上縁部及び該水平上縁部の前端から前方に向け前記脚片の先端と反対方向に斜めに下降傾斜する傾斜上縁部を有する案内台とを備えたものである。引出しを開く際には、前記係合突片が前記水平上縁部上から前記傾斜上縁部上を摺動し、前記脚片が重力により垂直方向に回動して前記車輪が接地可能状態となり、引出しを閉じる際には、前記係合突片が前記傾斜上縁部と係合した後に前記水平上縁部に係合するため、前記脚片は、引出しを閉めるにしたがって上方に回動して水平となり前記引出し裏板の下部に収納された収納状態となる。
【０００４】
また、特許文献５に係る前傾防止装置の構成は、後端部に作動腕を突設され、引出しの底板の下面前後方向に軸支された回動棒と、該回動棒の前端部に取付具を介して前記底板に沿って取付けられた車輪と、キャビネット本体の前後方向にその前端と後端の位置を屈曲部において横方向にずらせてなる２本の案内レールと、前記車輪の接地可能状態において前記取付具の基面に当接する受座とを備え、前記案内レールに前記作動腕係合させてなるものである。引出しを開く際には、前記案内レールの屈曲部において前記作動腕が前記案内レールに従動して回動し、前記車輪が接地可能状態となると共に、該車輪の取付具の基面と前記受座とが当接し、引出しを閉じる際には、前記案内レールの屈曲部において前記作動腕が反対方向に回動するため、前記車輪は引出しの底板に沿って本体内に収納された収納状態となる。
【０００５】
【特許文献１】実公昭５２−４０８９２号公報（第１−２図）
【特許文献２】実開昭５５−１０２８４８号公報（第１図、第４図）
【特許文献３】実用新案登録第２５４３４１３号公報（図１−２）
【特許文献４】実公昭４９−４４８３１号公報（第１−５図）
【特許文献５】実公昭６０−２２８３３号公報（第１−４図）
【発明の開示】
【発明が解決しようとする課題】
【０００６】
以上のような従来の前記車輪等を収納可能とした収納家具における引出しの前傾防止装置において、特許文献４に係る前傾防止装置の構成では、前記脚片に設けられた回動片の係合突片を前記案内台の傾斜上縁部に重力により当接させ、該縁部を摺動させることにより前記脚片を回動させて前記車輪を前記接地可能状態又は収納状態とするため、前記接地可能状態において前記脚片が保持されないため不安定となり、引出しの前傾防止動作の信頼性に欠けるという問題点がある。また、前記係合突片が前記水平上縁部及び傾斜上縁部上を摺動するため、該摺動部分の摩耗により前記前傾防止動作が不安定になるという問題点がある。さらに、前記摺動により騒音が発生するという問題点がある。
【０００７】
特許文献５に係る前傾防止装置の構成では、前記作動腕が、重力により後方の案内レールに当接した状態で摺動し、前記屈曲部において前方の案内レールに乗り移り、重力により前方の案内レールに当接した状態で摺動すると共に前記車輪の取付具の基面と前記受座とを当接させて前記接地可能状態で保持するため、前記屈曲部において対向する案内レール間には作動腕が係合し前後方向に移動しながら回動できるための隙間が必要となる。したがって、前記摺動時、前記乗り移り時及び前記基面と前記受座との当接時に騒音が発生するという問題点がある。また、前記摺動部分の摩耗により、前記乗り移り時等の騒音が大きくなると共に引出しの前傾防止動作の信頼性が低下するという問題点がある。
【０００８】
本発明は、前記のような問題点を解決するためになされたものであり、引出しの開閉により前記車輪等を接地可能状態又は収納状態とする動作を静粛かつ円滑に行うことができるため、該動作の信頼性を長期にわたって向上させることができる収納家具における引出しの前傾防止装置を得ることを目的とする。
【課題を解決するための手段】
【０００９】
本発明に係る収納家具における引出しの前傾防止装置は、前記課題解決のために、収納家具の引出しの下部前後に設けられた前支持部材及び後支持部材と、該支持部材により前後部が支持され、前後水平軸まわりに回動可能とされた前後に延びる回動杆と、該回動杆の前部に略回動半径方向に突設され、先端部において接地転動体を軸支してなる支持腕と、前記回動杆の後部に設けられ、回動軸心から回動半径方向に離間した部分を被駆動部としてなる操作腕と、前記後支持部材の前側又は後側において、前記引出しに直接又は間接に左右方向にスライド可能に支持され、垂下軸まわりに回動可能にガイド転動体を軸支してなり、前記操作腕の被駆動部が係合する係合部を有するスライド部材と、前記引出しを閉じた状態で該引出しの底面から下方に離間した高さ位置において、収納家具本体の下部に略水平に設けられた、前後に延びる後部ガイドレール、該後部ガイドレールから前方及び左又は右方に離間して前後に延びる前部ガイドレール、並びに、該前後のガイドレール間を繋ぐ中間部ガイドレールからなる、前記ガイド転動体が係合するガイドレールとを備え、前記引出しを閉じた状態では、前記ガイド転動体が前記後部ガイドレールに係合して前記支持腕が略水平に保持された収納状態となり、前記引出しを開く動作により、前記ガイド転動体が前記後部ガイドレールから前記中間部ガイドレールを経由して前記前部ガイドレールに沿って移動するため、前記スライド部材が左又は右方に移動し、該スライド部材に係合する前記被駆動部を介して前記操作腕が左又は右方に駆動されて前記回動杆が回動し、前記支持腕が垂下した状態で保持され、前記接地転動体が接地可能状態となるものである。
【００１０】
ここで、前記操作腕が、前記回動杆の後部を略回動半径方向に折り曲げたものであり、その先端を略前後方向に折り曲げて前記被駆動部とし、該被駆動部が係合する前記スライド部材の係合部を略上下方向を長軸とした長孔としてなると好ましい。
【００１１】
また、前記スライド部材が、前記後支持部材に左右方向にスライド可能に支持されてなると好ましい。
【００１２】
さらに、前記ガイドレールが、上方を開放した略コ字状のチャンネル材であると好ましい。
【発明の効果】
【００１３】
本発明に係る収納家具における引出しの前傾防止装置によれば、収納家具の引出しの下部前後に設けられた前支持部材及び後支持部材と、該支持部材により前後部が支持され、前後水平軸まわりに回動可能とされた前後に延びる回動杆と、該回動杆の前部に略回動半径方向に突設され、先端部において接地転動体を軸支してなる支持腕と、前記回動杆の後部に設けられ、回動軸心から回動半径方向に離間した部分を被駆動部としてなる操作腕と、前記後支持部材の前側又は後側において、前記引出しに直接又は間接に左右方向にスライド可能に支持され、垂下軸まわりに回動可能にガイド転動体を軸支してなり、前記操作腕の被駆動部が係合する係合部を有するスライド部材と、前記引出しを閉じた状態で該引出しの底面から下方に離間した高さ位置において、収納家具本体の下部に略水平に設けられた、前後に延びる後部ガイドレール、該後部ガイドレールから前方及び左又は右方に離間して前後に延びる前部ガイドレール、並びに、該前後のガイドレール間を繋ぐ中間部ガイドレールからなる、前記ガイド転動体が係合するガイドレールとを備え、前記引出しを閉じた状態では、前記ガイド転動体が前記後部ガイドレールに係合して前記支持腕が略水平に保持された収納状態となり、前記引出しを開く動作により、前記ガイド転動体が前記後部ガイドレールから前記中間部ガイドレールを経由して前記前部ガイドレールに沿って移動するため、前記スライド部材が左又は右方に移動し、該スライド部材に係合する前記被駆動部を介して前記操作腕が左又は右方に駆動されて前記回動杆が回動し、前記支持腕が垂下した状態で保持され、前記接地転動体が接地可能状態となるので、前記支持腕及び接地転動体が前記引出しの開閉動作の邪魔にならないと共に前記引出しを閉じた際に前記支持腕及び接地転動体が見えないため前傾防止装置の無い収納家具と同様の外観とすることができる。また、前記引出しの開閉により前記車輪等を接地可能状態又は収納状態とする動作を静粛かつ円滑に行うことができるため、該動作の信頼性を長期にわたって向上させることができる。
【００１４】
また、前記操作腕が、前記回動杆の後部を略回動半径方向に折り曲げたものであり、その先端を略前後方向に折り曲げて前記被駆動部とし、該被駆動部が係合する前記スライド部材の係合部を略上下方向を長軸とした長孔としてなると、該操作腕及び係合部が簡素な構成となるため、動作の信頼性向上及びコスト削減を図ることができる。
【００１５】
さらに、前記スライド部材が、前記後支持部材に左右方向にスライド可能に支持されてなると、前記引出しに前記スライド部材を支持する支持手段を設ける必要がなく、前記後支持部材を前記スライド部材のガイドに兼用しているため、組立が容易になると共に部品点数を削減することができ、コスト削減を図ることができる。
【００１６】
さらにまた、前記ガイドレールが、上方を開放した略コ字状のチャンネル材であると、簡素な構成により、前記ガイド転動体を容易かつ確実にガイドすることができると共にコスト削減を図ることができる。また、前記接地可能状態において前記チャンネル材の左右の立起片が前記ガイド転動体の左右方向への移動を確実に規制するため、前記接地可能状態において前記支持腕が安定かつ確実に保持される。
【発明を実施するための最良の形態】
【００１７】
次に、本発明の実施の形態を添付図面に基づき詳細に説明するが、本発明は、添付図面に示された形態に限定されず特許請求の範囲に記載の要件を満たす実施形態の全てを含むものである。なお、引出しが１段のみの場合には、該引出しに本発明に係る引出しの前傾防止装置が設けられ、引出しが多段の場合には、最下段の引出しに本発明に係る引出しの前傾防止装置が設けられる。また、本明細書においては、収納家具の例として示すワゴンの正面側（引出しを開ける方向側）を前、ワゴンの背面側（引出しを閉じる方向側）を後とし、前方からワゴンを見た左右を左右とする。
【００１８】
図１〜図３は、本発明の実施の形態に係る収納家具における引出しの前傾防止装置が用いられたワゴンの構成を示す説明図であり、図１は縦断右側面図、図２は縦断正面図、図３は後支持部材まわりを拡大して示す縦断右側面図であり、図２（ａ）は引出しを閉じた状態を、図１、図２（ｂ）及び図３は引出しを開けた状態を示している。また、図４〜図６は、本発明の実施の形態に係る収納家具における引出しの前傾防止装置の構成を示す説明図であり、図４は斜視図、図５は分解斜視図、図６は後支持部材まわりを拡大して示す分解斜視図であり、図４（ａ）は引出しを閉じた状態を、図４（ｂ）は引出しを開けた状態を示している。
【００１９】
図１〜図３において、収納家具の例であるワゴン１は、ワゴン本体２の上レール３，３及び下レール４，４により上下２段の引出し６，７が開閉可能とされ、ワゴン本体２の下部にはキャスター５，…が取付けられる。そして、図１及び図２（ｂ）のように下段の引出し７を開けた状態では、後述するように車輪又はローラ等の接地転動体２４が接地可能状態Ｖとなり、引出し７を開ける際の該引出し７の前傾が防止される。したがって、引出し７を開ける際に生じる前傾により該引出し７の前板下面が床面ＦＬに接触して傷つくこと、又は、前記引出し７の前傾によりワゴン１自体が前倒れすることが防止される。
【００２０】
また、図２（ａ）のように引出し７を閉じた状態では、後述するように引出し７を閉じる動作により支持腕２２及び接地転動体２４が回動して収納状態Ｈとなるため、支持腕２２及び接地転動体２４が引出し７の開閉動作の邪魔にならないと共に引出し７を閉じた際に支持腕２２及び接地転動体２４が見えないため引出しの前傾防止装置の無いワゴンと同様の外観とすることができる。
【００２１】
図１に示すように、引出し７の下部前後には例えば鋼製の前支持部材１１及び後支持部材１２が取付けられる。すなわち、前支持部材１１は引出し７の底板８の下面前部に、後支持部材１２は引出し７の背板９の下部に螺着される。また、図４及び図５に示すように、前後に延びる例えば鋼製の回動杆２１が、前支持部材１１及び後支持部材１２の通孔１１ａ，１３ａに挿通されて該支持部材１１，１２により前後部が支持され、前後水平軸まわりに回動可能となっている。なお、通孔１１ａ，１３ａと回動杆２１との間には、例えばポリアセタール、ポリプロピレン又はナイロン等の合成樹脂製のブッシュを設けてもよい。
【００２２】
回動杆２１の前部には、例えば鋼製の支持腕２２が略回動半径方向に突設され、支持腕２２はその先端部において回動周方向の支軸２４ａまわりに転動する、転動面が例えばポリアセタール、ポリプロピレン又はナイロン等の合成樹脂製の接地転動体２４を軸支している。また、回動杆２１の後部には、回動軸心から回動半径方向に離間した部分を被駆動部２５としてなる操作腕２３が設けられる。該被駆動部２５は、後述するようにスライド部材３１により駆動される。図４〜図６に示すように、操作腕２３は、例えば回動杆２１の後部を略回動半径方向に折り曲げて形成し、その先端を略後方に折り曲げて被駆動部２５とすればよい。あるいは、前記先端を略前方に折り曲げて被駆動部２５とすることもできる。
【００２３】
図４〜図６に示すように、後支持部材１２は、左右に延びる垂直の前板１３、該前板１３の下縁から後方に段落ちして垂下し、転動面が例えばポリアセタール、ポリプロピレン又はナイロン等の合成樹脂製の左右のスライド支持転動体１５，１５を前後方向の支軸１５ａ，１５ａにより軸支する転動体支持板１４等からなり、前板１３の右側が下方に延びてその下部に前記通孔１３ａが形成される。そして、図３に示すように、後支持部材１２は、引出し７の背板７に当接した状態で、前板１３に溶接された左右のナット１６，１６（図６も参照、）に引出し７の内側からボルト１７，１７を螺合することにより、容易かつ強固に引出し７に固定される。
【００２４】
図４〜図６に示すように、例えば鋼製のスライド部材３１は、垂下軸３３ａまわりに回動可能に、転動面が例えばポリアセタール、ポリプロピレン又はナイロン等の合成樹脂製のガイド転動体３３を軸支して左右に延びる水平の下板３２、該下板３２の後部において前記スライド支持転動体１５，１５が係合する左右方向に延びるレール状のガイド部３４、該ガイド部から右方へ延びる垂直の後板３５からなり、後板３５には、前記回動杆２１に設けられた操作腕２３の被駆動部２５が係合する係合部３６である略上下方向を長軸とした長孔３７が形成される。
【００２５】
なお、操作腕２３を回動杆２１の回動半径方向に伸縮する構成とし、該操作腕２３の被駆動部２５が係合するスライド部材３１の係合部３６を丸孔等としてもよい。しかし、本実施の形態のように、操作腕２３を回動杆２１の後部を略回動半径方向に折り曲げたものとし、その先端を略前後方向に折り曲げて被駆動部２５とし、該被駆動部２５が係合するスライド部材３１の係合部３６を略上下方向を長軸とした長孔３７とすると、該操作腕２３及び係合部３６が簡素な構成となるため、後述する動作の信頼性向上及びコスト削減を図ることができる。また、係合部３６（長孔３７）と被駆動部２５との間には、例えばポリアセタール、ポリプロピレン又はナイロン等の合成樹脂製のブッシュを設けてもよい。
【００２６】
スライド部材３１は、そのガイド部３４内に後支持部材１２のスライド支持転動体１５，１５が係合するため、簡素な構成により、後支持部材１２の後側において、後支持部材１２により左右方向にスライド可能に安定かつ確実に支持される。なお、ガイド部３４はその上下面の間隔がスライド支持転動体１５の外径よりも例えば１ｍｍ程度大きくなるように形成されているため、スライド部材３１の左右方向移動動作時に、ガイド部３４内に係合するスライド支持転動体１５，１５が転動するため、該移動動作が円滑に行われる。また、該移動動作は、スライド支持転動体１５，１５がガイド部３４の上下内面と摺動せずに転動すること、及び、前記のとおりスライド支持転動体１５，１５の転動面が合成樹脂製であるため、静粛に行われる。
【００２７】
ここで、スライド部材３１を、後支持部材１２の前側において、後支持部材１２により左右方向にスライド可能に支持してもよいし、引出し７により直接左右方向にスライド可能に支持してもよい。ただし、本実施の形態のように後支持部材１２によりスライド部材３１を支持する構成によれば、後支持部材１２をスライド部材３１のガイドに兼用しているため、組立が容易になると共に部品点数を削減することができ、コスト削減を図ることができる。
【００２８】
図１には引出し６，７を開けた状態を示しているが、該引出し７を閉じた状態で該引出し７の底面（底板８の下面）から下方に離間した高さ位置において、ワゴン本体２の下部には、下板４０上に、スライド部材３１のガイド転動体３３が係合するガイドレール４１が略水平に設けられている。すなわち、図４及び図５に示すように、ガイドレール４１は、前後に延びる後部ガイドレール４２、後部ガイドレール４２から前方及び右方に離間して前後に延びる前部ガイドレール４３、並びに、前後のガイドレール４３，４２間を繋ぐ中間部ガイドレール４４からなるものである。なお、前部ガイドレール４３は、後部ガイドレール４２から前方及び左方に離間して前後に延びるものであってもよい。
【００２９】
図４〜図６に示すように、ガイドレール４１は、底板４１ｃの左右の側端縁から立起した立起片４１ａ，４１ｂからなる上方を開放した略コ字状の例えば鋼製のチャンネル材であるため、簡素な構成により、ガイド転動体３３を容易かつ確実にガイドすることができると共にコスト削減を図ることができる。なお、ガイドレール４１はその立起片４１ａ，４１ｂの間隔がガイド転動体３３の外径よりも例えば１ｍｍ程度大きくなるように形成されているため、ガイド転動体３３はガイドレール４１内を該レールに沿って円滑に転動する。また、スライド３１部材のガイドレール４１に沿う移動動作は、ガイド転動体３３がガイドレール４１内において立起片４１ａ，４１ｂと摺動せずに転動すること、及び、前記のとおりガイド転動体３３の転動面が合成樹脂製であるため、静粛に行われる。
【００３０】
次に、本発明の実施の形態に係る収納家具における引出しの前傾防止装置の動作について、図２及び図４を参照して説明する。図２（ａ）及び図４（ａ）に示す引出し７（図１参照。）を閉じた状態では、スライド部材３１のガイド転動体３３が後部ガイドレール４２に係合しており、スライド部材３１は左右のスライドストロークの左側に位置した状態となっている。
【００３１】
したがって、スライド部材３１の係合部３６に係合する、回動杆２１に設けられた操作腕２３の被駆動部２５も左側に位置するため（図２（ａ）参照。）、回動杆２１に設けられた支持腕２２及び該支持腕２２により軸支された接地転動体２４は略水平に保持され、収納状態Ｈとなっている。この収納状態Ｈにおいて、ガイド転動体３３は、後部ガイドレール４２の前後方向に延びる左右の立起片４１ａ，４１ｂにより、左右方向への移動が確実に規制されるため、支持腕２２等も安定かつ確実に保持される。
【００３２】
図２（ａ）及び図４（ａ）に示す引出し７を閉じた状態から引出し７を開くと（図中矢印Ａ参照。）、前支持部材１１、後支持部材１２及び回動杆２１並びにスライド部材３１等は、引出し７と共に前方へ移動し、スライド部材３１のガイド転動体３３も後部ガイドレール４２に係合した状態で前方へ移動する。さらに引出し７を開くと（図中矢印Ａ参照。）、ガイド転動体３３は、図２（ｂ）及び図４（ｂ）に示すように、中間部ガイドレール４４を経由して前部ガイドレール４３に係合する。
【００３３】
ガイド転動体３３が中間ガイドレール４４に係合した状態では、該ガイド転動体３３は該中間ガイドレール４４に沿って、前方への移動にしたがって右方にも移動し（図４（ｂ）の矢印Ｂ参照。）、ガイド転動体３３が前部ガイドレール４３に係合した状態では、該ガイド転動体３３は前方へのみ移動する。前記ガイド転動体の右方への移動に伴って、スライド部材３１が左右のスライドストロークの右側に位置した状態となる。
【００３４】
したがって、スライド部材３１の係合部３６に係合する、回動杆２１に設けられた操作腕２３の被駆動部２５も右側に位置するため（図２（ｂ）参照。）、回動杆２１に設けられた支持腕２２及び該支持腕２２により軸支された接地転動体２４は前記水平状態から垂下して（図４（ｂ）の矢印Ｃ参照。）、該状態で保持され、接地転動体２４が接地可能状態Ｖとなる。この接地可能状態Ｖにおいて、ガイド転動体３３は、前部ガイドレール４３の前後方向に延びる左右の立起片４１ａ，４１ｂにより、左右方向への移動が確実に規制されるため、支持腕２２等も安定かつ確実に保持される。よって、引出し７を開ける際に生じる前傾を安定かつ確実に防止することができる。
【００３５】
引出し７を開いた状態から閉じる方向に移動させると、前記支持腕２２及び接地転動体２４が垂下した接地可能状態Ｖから、上記動作とは逆の動作により、前記支持腕２２及び接地転動体２４が略水平に保持された収納状態Ｈとなる。
【００３６】
以上のとおり、ワゴン本体２の下部の下板４０上に固設された前後に延びる前部ガイドレール４３及び後部ガイドレール４２が、該ガイドレールに係合するガイド転動体３３の左右方向への移動を規制するため、前記接地可能状態Ｖ及び収納状態Ｈにおいて、支持腕２２等が安定かつ確実に保持される。また、ガイド転動体３３がガイドレール４１に係合する構成であるため、前記引出しの開閉により前記接地転動体２４等を接地可能状態又は収納状態とする動作を静粛かつ円滑に行うことができ、該動作の信頼性を長期にわたって向上することができる。
【図面の簡単な説明】
【００３７】
【図１】本発明の実施の形態に係る収納家具における引出しの前傾防止装置が用いられたワゴンの構成を示す縦断右側面図である。
【図２】同じく縦断正面図であり、（ａ）は引出しを閉じた状態を、（ｂ）は引出しを開けた状態を示している。
【図３】同じく後支持部材まわりを拡大して示す縦断右側面図である。
【図４】本発明の実施の形態に係る収納家具における引出しの前傾防止装置の構成を示す斜視図であり、（ａ）は引出しを閉じた状態を、（ｂ）は引出しを開けた状態を示している。
【図５】同じく分解斜視図である。
【図６】同じく後支持部材まわりを拡大して示す分解斜視図である。
【符号の説明】
【００３８】
Ｈ  収納状態
Ｖ  接地可能状態
ＦＬ  床面
１  ワゴン（収納家具）
２  ワゴン本体（収納家具本体）
３，４  レール
５  キャスター
６，７  引出し
８  底板
９  背板
１１  前支持部材
１１ａ  通孔
１２  後支持部材
１３  前板
１３ａ  通孔
１４  転動体支持板
１５  スライド支持転動体
１５ａ  支軸
１６  ナット
１７  ボルト
２１  回動杆
２２  支持腕
２３  操作腕
２４  接地転動体
２４ａ  支軸
２５  被駆動部
３１  スライド部材
３２  下板
３３  ガイド転動体
３３ａ  支軸（垂下軸）
３４  ガイド部
３５  後板
３６  係合部
３７  長孔
４０  下板
４１  ガイドレール
４１ａ，４１ｂ  立起片
４１ｃ  底板
４２  後部ガイドレール
４３  前部ガイドレール
４４  中間部ガイドレール
【図１】
0004669772.tif 000002
【図２】
0004669772.tif 000003
【図３】
0004669772.tif 000004
【図４】
0004669772.tif 000005
【図５】
0004669772.tif 000006
【図６】
0004669772.tif 000007